(57)【要約】本発明はドア、窓又はそれに類似したものの障子を開閉するための駆動装置であって、ケーシング（１）と該ケーシング（１）内に配置された閉鎖ばね（２）とを有し、該閉鎖ばね（２）が前記ケーシング（１）内に支承された閉鎖軸（４）と歯を介して作用結合させられているピストン（３）に作用している形式のものに関する。このような駆動装置をその材料の選択に関し改善するためには、本発明によれば、前記ピストン（３）と前記ケーシング（１）とがプラスチック：ポリオキシメチレン（ＰＯＭ）から成っている。
2006504885.tif 000002
【特許請求の範囲】
【請求項１】
ドア、窓又はそれに類似したものの障子を開閉するための駆動装置であって、ケーシングと該ケーシング内に配置された閉鎖ばねとを有し、該閉鎖ばねが前記ケーシング内に支承された閉鎖軸に歯を介して作用結合させられているピストンに作用している形式のものにおいて、前記ピストン（３）と前記ケーシング（１）とがプラスチック：ポリオキシメチレン（POM）から成っていることを特著とする、ドア、窓又はそれに類似したものの障子を開閉するための駆動装置。
【請求項２】
前記ピストン（３）と前記ケーシング（１）とが射出成形によって製作されている、請求項１記載の駆動装置。
【請求項３】
前記ピストン（３）の歯が金属、有利には鋼から成るインレイとしてピストン内に配置され、有利にはプラスチックで包み込み成形されている、請求項１又は２記載の駆動装置。
【請求項４】
前記閉鎖軸（４）が軸受シェル（５）内に支承されており、該軸受シェル（５）がプラスチック：ポリオキシメチレン（ＰＯＭ）から成っている、請求項１から３までのいずれか１項記載の駆動装置。
【請求項５】
プラスチック：ポリオキシメチレン（ＰＯＭ）から成る前記軸受シェル（５）が前記ケーシング（１）内へプレス嵌めされかつ／又はケーシング（１）と溶接、有利には超音波溶接されている、請求項４記載の駆動装置。
【請求項６】
前記ケーシング（１）内に前記閉鎖ばね（２）と前記ピストン（３）とを受容するための切欠きが設けられ、該切欠きが端部栓体（７）によって閉鎖され、前記端部栓体（７）がプラスチック：ポリオキシメチレン（ＰＯＭ）から成っている、請求項１から５までのいずれか１項記載の駆動装置。
【請求項７】
前記端部栓体（７）が前記ケーシング（１）内へプレス嵌めされかつ／又は前記ケーシング（１）と溶接、有利には超音波溶接されている、請求項６記載の駆動装置。
【請求項８】
前記ケーシング（１）が液圧式の制御孔を備えており、前記ケーシング（１）からの該制御孔の出口がケーシング（１）にプレス嵌めされかつ／又は超音波溶接されるか又は接着されたピンで閉鎖され、該ピンがプラスチック：ポリオキシメチレン（ＰＯＭ）から成っている、請求項１から７までのいずれか１項記載の駆動装置。
【発明の詳細な説明】
【技術分野】
【０００１】
本発明はドア、窓又はそれに類似したものの障子を開閉するための駆動装置であって、ケーシングと該ケーシング内に配置された閉鎖ばねとを有し該閉鎖ばねが前記ケーシング内に支承された閉鎖軸に歯を介して作用結合させられているピストンに作用している形式のものに関する。
【０００２】
このような駆動装置はＤＥ１９８２２４９８Ａ１号明細書により公知である。しかしこの公知の駆動装置は個々の部分を製造するために使用されている材料に関し改善の余地がある。
【０００３】
したがって本発明の課題は先に述べた形式の駆動装置をその製作費用に関し改良することである。
【０００４】
これは先に述べた特徴を有する駆動装置において、主としてピストンとケーシングとがプラスチック：ポリオキシメチレン（ＰＯＭ）から形成されることで達成された。
【０００５】
このプラスチックはその性質に基づき特にピストンとケーシングとの材料に適している。何故ならばポリオキシメチレン（ＰＯＭ）はきわめて剛性が高くかつ堅固であり、復元性が高く、熱変形に対する耐性及び摩耗耐性が高く、滑り特性が良く、しかも摩滅度が少ないからである。さらにポリオキシメチレン（ＰＯＭ）は健康上にも問題がなく、異なる液圧的な緩衝媒体にも適する。
【０００６】
従属請求項には請求項１の有利な実施例が示されている。
【０００７】
ピストンとケーシングとは射出成形によって製作されていると有利である。何故ならばこの製作方法はピストンとケーシングとを大きな個数で正確にかつ精密に、しかも安価に製作できるからである。
【０００８】
閉鎖軸の歯付きピニオンとピストンにおける歯とができるだけ摩耗なしで協働できるようにするためには、本発明の１実施例によれば、ピストンの歯が金属、有利には鋼から成るインレイとしてピストンに内植、有利には射出成形されるピストン内に包み込み成形されている。
【０００９】
閉鎖軸の軸受シェルは有利な実施例では同様にプラスチック：ポリオキシメチレン（ＰＯＭ）から製作されている。
【００１０】
この軸受シェルは本発明の別の実施例によればケーシング内にプレス嵌めされかつ／又はケーシングに超音波溶接されている。これによりケーシングにおける閉鎖軸の良好な座りが保証される。
【００１１】
ケーシング内には閉鎖ばねとピストンとを受容するための切欠きが設けられ、該切欠きは端部栓体を介して閉鎖されている。この端部栓体は有利な実施例ではプラスチック：ポリオキシメチレン（ＰＯＭ）から成っている。
【００１２】
先に述べた構成では本発明の有利な実施例によれば端部栓体がケーシング内へプレス嵌めされかつ又はケーシングに溶接、有利には超音波溶接させられることができるという利点を有している。
【００１３】
有利な構成にしたがってケーシング内に液圧制御孔が設けられ、ケーシングからのこの液圧制御孔の出口がプレス嵌めされかつ又は超音波溶接されるか又は接着されたピンによって閉鎖され、このピンがプラスチック：ポリオキシメチレン（ＰＯＭ）から成っていると、ケーシングにおける制御孔はケーシングを製作する際に直接製作することができる。
【００１４】
本発明の別の特徴と利点は本発明の有利な実施例に基づき以下に記載されている。
【００１５】
図面にはドア、窓又はそれに類似したものの障子を開閉する駆動装置が縦断面で示されている。
【００１６】
このような駆動装置の機能は公知であるので詳細な説明については省略する。
【００１７】
駆動装置は管状のケーシング１を有し、該ケーシング１は該ケーシング１の長手方向に延びる、片側の開放した切欠き内には摺動可能なピストン３に作用する閉鎖ばね２が支承されている。ピストン３とケーシング１はプラスチック：ポリオキシメチレン（ＰＯＭ）から成り、有利には射出成形により製作されている。
【００１８】
さらにケーシング１内にはその長手方向に対し横方向に閉鎖軸４が軸受シェル５を介して支承されている。この軸受シェル５はプラスチック：ポリオキシメチレン（ＰＯＭ）から成り、ケーシング１内にプレス嵌めされかつ／又はケーシング１に溶接、例えば超音波溶接されている。
【００１９】
ピストン３は閉鎖軸４に設けられた歯付きピニオン６に噛合う歯を有している。この結果、ケーシング１の長手方向でのピストン３の移動は閉鎖軸４の回転運動を発生させる。
【００２０】
ピストン３における歯は有利には金属、例えば鋼から成るインレイとして構成されている。このインレイはピストン３をプラスチックで製作する際にピストン３内に包み込み成形される。
【００２１】
ケーシング１内に設けられたケーシング１の長手方向に延びる、一端の開放した切欠きは、開放端部にて端部栓体７で閉鎖されている。この端部栓体７はプラスチック：ポリオキシメチレン（ＰＯＭ）から成り、有利にはケーシング１内へプレス嵌めされかつ／又はケーシング１に溶接、有利には超音波溶接される。
【００２２】
ケーシング１内でのピストン３の運動を緩衝するためにはケーシング１の製作に際し、図示されていない液圧式の制御孔が成形される。ケーシング１からの制御孔の出口はプレス嵌めされかつ／又は超音波溶接された又は接着されたピンにより閉鎖されている。このピンはプラスチック：ポリオキシメチレン（ＰＯＭ）から成っている。
【００２３】
本発明の実施例についての先の記述は図解を目的としたものであって、本発明を限定するものではない。本発明の枠内では本発明の領域及び発明の等価性を逸脱することなく種々の変化と変更とが可能である。
【図面の簡単な説明】
【００２４】
【図１】ドア、窓又はそれに類似したものの障子を開閉する駆動装置の縦断面図。
【符号の説明】
【００２５】
１  ケーシング、  ２  閉鎖ばね、  ３  ピストン、  ４  閉鎖軸、  ５  軸受シェル、  ６  歯付きピニオン、  ６  端部栓体
2006504885.tif 000003
【国際調査報告】
2006504885.tif 000004
2006504885.tif 000005
2006504885.tif 000006
2006504885.tif 000007
2006504885.tif 000008
2006504885.tif 000009